(57)【要約】【課題】簡便にフィルターの清掃ができる換気装置を提供する。【解決手段】  建物内の壁面に設けられている外気を室内へ取り込む換気ダクトに設けられる換気装置１であって、換気装置１は、室外側に設けられる第１のフィルター２と、室内側に設けられる第２のフィルター３を有し、第１のフィルター２は第２のフィルター３よりフィルターの目が粗くなっており、第１のフィルター２の室外側のフィルター表面を清掃する清掃手段４が設けられている。【選択図】    図１
2011163717.tif 000002
【特許請求の範囲】
【請求項１】
外気を室内へ取り込む換気ダクトに設けられる換気装置であって、
該換気装置は、室外側に設けられる第１のフィルターと、室内側に設けられる第２のフィルターを有し、
第１のフィルターは第２のフィルターよりフィルターの目が粗くなっており、
第１のフィルターの室外側のフィルター表面を清掃する清掃手段が設けられていることを特徴とする換気装置。
【請求項２】
前記換気装置が、建物内の壁面に設けられている請求項１に記載の換気装置。
【請求項３】
前記清掃手段が手動式であり、清掃手段を操作する操作手段が、前記換気装置より垂下している請求項１乃至２に記載の換気装置。
【請求項４】
換気ダクトに設けられる換気装置であって、
該換気装置は、上流側に設けられる第１のフィルターと、下流側に設けられる第２のフィルターを有し、
第１のフィルターは第２のフィルターよりフィルターの目が粗くなっており、
第１のフィルターの上流側のフィルター表面を清掃する清掃手段が設けられていることを特徴とする換気装置。
【発明の詳細な説明】
【技術分野】
【０００１】
本発明は、外気を室内へ取り込むダクトに設けられる清掃可能な換気装置に関する。
【背景技術】
【０００２】
換気装置には、空気内の埃や花粉などを除去するためのフィルターが設けられている。このフィルターはフィルターについた埃や花粉などの粉塵を取り除くために定期的に、清掃を行う必要がある。
【０００３】
特に空気環境の維持は、シックハウスなどの観点から建物の基本性能として位置づけられており、性能を維持するためには、換気装置内のフィルターを定期的に清掃する必要がある。
【先行技術文献】
【特許文献】
【０００４】
【特許文献１】実開平０６−４０７４２号公報
【発明の概要】
【発明が解決しようとする課題】
【０００５】
しかし、換気装置そのものが天井部に隠蔽されている場合が多く、フィルターを取り外して清掃する作業はやっかいなものであった。
【０００６】
さらに、換気装置へのアクセスが天井点検口を介している場合では、脚立を用いた高所作業が必要となり、危険を伴う作業となってしまう。
【０００７】
また、換気装置そのものが天井部に隠蔽されているため、換気装置の存在自体が忘れがちになり、フィルターの清掃を怠ってしまうこともある。
【０００８】
本発明は、以上のような問題点に鑑み、簡便にフィルターの清掃ができる換気装置を提供することを課題とする。
【課題を解決するための手段】
【０００９】
上記の課題は、外気を室内へ取り込む換気ダクトに設けられる換気装置であって、該換気装置は、室外側に設けられる第１のフィルターと、室内側に設けられる第２のフィルターを有し、第１のフィルターは第２のフィルターよりフィルターの目が粗くなっており、第１のフィルターの室外側のフィルター表面を清掃する清掃手段が設けられていることを特徴とする換気装置により解決される。
【００１０】
この換気装置では、フィルターを第１のフィルターと第２のフィルターの２枚有し、室外側に設けられる第１のフィルターが第２のフィルターよりフィルターの目が粗くなっているので、室外から取り込まれる外気に含まれる粒径の大きな粉塵は、第１のフィルターで除去することができ、さらに第１のフィルターの室外側のフィルター表面を清掃する清掃手段により、第１のフィルターの室外側表面を清掃することができるので、目詰まりによる圧力損失や換気風量の低下となる粒径の大きな粉塵を除去する第１のフィルターの清掃を定期的に行うことで、第２のフィルターの清掃頻度を低減することができる。
【００１１】
上記の換気装置が、建物内の壁面に設けられているとよい。
【００１２】
換気装置が天井部などに隠蔽されることなく、建物内の壁面に設けられることで、換気装置の存在を意識することができ、換気装置のフィルターの清掃を忘れずに行うことができる。
【００１３】
また、上記の換気装置の清掃手段が手動式であり、清掃手段を操作する操作手段が、前記換気装置より垂下しているとよい。
【００１４】
換気装置の清掃手段が手動式からなっているため、大掛かりな設備を用いることなく、また電気配線等も必要なく、換気装置に清掃手段を設けることができる。さらに、清掃手段を操作する操作手段が、換気装置より垂下しているため、清掃時に、建物内の壁面に設けられた換気装置の操作手段に容易にアクセスすることができ、フィルターの清掃を容易に実現することができる。
【００１５】
また、上記の課題は、換気ダクトに設けられる換気装置であって、該換気装置は、上流側に設けられる第１のフィルターと、下流側に設けられる第２のフィルターを有し、第１のフィルターは第２のフィルターよりフィルターの目が粗くなっており、第１のフィルターの上流側のフィルター表面を清掃する清掃手段が設けられていることを特徴とする換気装置によっても解決される。
【発明の効果】
【００１６】
本発明は以上のとおりであるから、簡易にフィルターの清掃ができる換気装置を提供することができる。
【図面の簡単な説明】
【００１７】
【図１】図（イ）は本発明の実施形態である換気装置の断面図、図（ロ）は同斜視図、図は（ハ）換気装置の設置状況を示す斜視図である。
【図２】図（イ）（ロ）は本発明の他の実施形態を示す断面図、図（ハ）は同一部拡大断面図である。
【図３】図（イ）（ロ）は本発明の他の実施形態を示す断面図、図（ハ）は同一部拡大断面図である。
【図４】図（イ）（ロ）は本発明の他の実施形態を示す断面図である。
【発明を実施するための形態】
【００１８】
次に、本発明の実施形態を図面に基づいて説明する。
【００１９】
図１に示す本発明の第１の実施形態である外気を室内に取り込むダクトの途中に設けられる換気装置１において、２は換気装置内の室外側に設けられる第１のフィルター、３は換気装置内の室内側に設けられる第２のフィルター、４は清掃手段としてのブラシである。
【００２０】
換気装置１は、外気を室内に取り込むダクトの途中に取り付けられ、図１（ハ）に示すように建物内の壁面高所に設けられる。換気装置１は、内部が空洞の函体をしており、建物外部へ繋がる室外側ダクト８と接続する吸入口６と、室内へ繋がる室内側ダクト９と接続する排気口７を有し、吸入口６から取り込まれた外気は換気装置１内を通って排気口７より室内へと排出される。換気装置内には、空気の流れる径路に沿って、取り込まれた外気に含まれる埃や花粉などの粉塵を除去するための２枚のフィルターが平行して設けられている。２枚のフィルターは、室外側の第１のフィルター２と室内側の第２のフィルター３とからなり、第１のフィルター２のフィルターの目は、第２のフィルター３のフィルターの目よりも粗くなっている。
【００２１】
第１のフィルター２の室外側には、清掃手段としてのブラシ４が設けられ、さらに第１のフィルター２の室外側下方部には、ブラシ４により除去された第１のフィルター２の室外側に付着した埃や花粉などの粉塵が溜まる滞留部５が設けられている。
【００２２】
図１（ロ）に示すように、ブラシ４は、略Ｌ型の棒状部材からなり、略Ｌ型の一方の軸部４ａには、第１のフィルター２の室外側に付着した埃や花粉などの粉塵を除去するために刷毛４ｂを有し、略Ｌ型のもう一方の軸部４ｃは、ブラシを手動で操作する操作手段であり、換気装置１の下端部に穿孔された孔１１を介して外部に突出している。なお、４ｄは操作手段４ｃを操作するための把手である。なお、図示しないが、換気装置１内には、ブラシを上下方向にガイドするためのガイドレールが設けられている。
【００２３】
換気装置１の下端部から突出している操作手段４ｃを上下に操作することで、ブラシ４は上下に移動し、ブラシ４に設けられた刷毛４ｂにより、第１のフィルター２の表面に付着した埃や花粉などの粉塵が除去され、滞留部５に蓄積される。
【００２４】
建物の居住者は、壁面に設けられた換気装置１の下端部から突出しているブラシ４の把手４ｄをつかみ、ブラシ４を上下させるだけで、換気装置１の第１のフィルター２の室外側に付着した埃や花粉などの粉塵を除去することができるため、換気装置のフィルターの清掃のため、換気措置から取り外して清掃する必要がなく、容易にフィルターの清掃を行うことができる。
【００２５】
特に、換気装置内のフィルターを第１のフィルター２と第２のフィルター３の二重構造とし、第１のフィルター２の目を第２のフィルター３の目よりも粗くしていることで、室外から取り込まれた空気に混じった大きな粒径の埃や花粉などの粉塵は、あらかた第１のフィルター２で除去することができる。換気措置のフィルターの目詰まりによる圧力損失の増加や換気風量の低下に影響の大きい大きな埃や花粉などの粉塵を第１のフィルター２で除去することで、目の細かい第２のフィルター３の清掃頻度を低減することができる。そして、第１のフィルターの清掃もブラシ４による除去で手軽に行うことができ、その結果として、第１のフィルター２及び第２のフィルター３の換気装置１から取り外して行う定期的な清掃の頻度を低減することができる。
【００２６】
また、フィルターには埃や花粉だけでなく、虫の死骸や生きたままの虫が付着している場合でも、フィルターの取り外しを行うことなく、換気装置１内でブラシ４を用いて第１のフィルター２の表面をなぞるだけで、フィルターの清掃を行うことができるので、建物の居住者に不快な思いをさせることなく、フィルターの清掃を行うことができる。
【００２７】
また、ブラシ４の操作手段４ｃが壁面に設けられた換気装置１の下端部より下方に突出しており、操作手段４ｃを上下に操作するだけでよいので、脚立などを用いて高所にあるフィルターを取り外す必要はなく、また、操作手段４ｃが換気装置１の下端部より下方に突出しているので、目に付きやすく、忘れがちなフィルターの清掃を忘れずに行うことができる。
【００２８】
なお、ブラシ４により除去され、滞留部５に蓄積された埃や花粉などは、定期的に行われる第１のフィルター２及び第２のフィルター３のそれぞれを取り外して行われる清掃時に、一緒に清掃されるとよい。
【００２９】
以上に、本発明の実施形態を示したが、本発明はこれに限られるものではなく、発明思想を逸脱しない範囲で各種の変更が可能である。特に、第１のフィルターを清掃する清掃手段の機構についてはいろいろな機構が考えられる。例えば、上記の実施形態では、ブラシ４が略Ｌ型をしている場合について示したが、図２に示すように、滑車２５を介して１８０度方向転換されたひも状の操作手段２１の、一方の端部には操作部２２を有し、もう一方の端部にはおもり２３を有し、中間部にはブラシ２４が取り付けられ、換気装置２０の下端部から突出した操作部２２を引くとブラシ２４が下方に移動し、力をゆるめると、滑車２５を介してもう一方の端部に取り付けられたおもり２２によりブラシ２３が上方に移動する機構になされていてもよい。
【００３０】
また、図３に示すように、滑車３５を介して９０度方向転換されたひも状の操作手段３１の、一方の端部には操作部３２を有し、もう一方の端部にはブラシ３３が取り付けられ、ブラシ３３と換気装置内壁面との間には付勢手段３４，３４が設けられ、換気装置３０の下端部から突出した操作部３２を引くとブラシ３３が側方に移動し、力をゆるめると、滑車３５を介してもう一方の端部にブラシ３３を介して取り付けられた付勢手段３４，３４により、ブラシ３３が逆方向に移動する機構になされていてもよい。
【００３１】
また、図４に示すように、一方の端部が換気装置４０の下端部から突出する操作部４２を有する操作手段４１とブラシ４３の縦材と、操作手段４１とブラシ４３に井形に組み合わされる横材４４，４４とがそれぞれ接合点で回動可能に接合され、操作４２部を上下させることで、井型に組まれた縦材４１，４３と横材４４，４４とが連動して動き、ブラシ４３が横方向に移動する機構になされていてもよい。
【００３２】
本発明の構成は、外気を室内へ取り込む換気ダクトに設けられる換気装置のおいて、フィルターを目の粗いフィルターと目の細かいフィルターの二重構造とし、目の粗いフィルターを取り外すことなく、清掃できる清掃手段を有していることであり、清掃手段の構成について、機構、材質その他について限定はない。
【００３３】
また、上記の実施形態では、第１のフィルターを清掃する清掃手段は、第１のフィルターの室外側に設けられている場合について示したが、清掃手段が設けられる場所は、第１のフィルターの室内側でもよく、要は第１のフィルターの室外側のフィルター表面に付着した粒径の大きな粉塵を除去できる清掃手段であればよい。
【００３４】
また、換気装置１は、図１（ハ）に示すように建物内の例えば、洗面所やトイレ、納戸などの人の居住スペースでない壁面高所に設けられるとよいが、前記以外の居室に設けられてもよいのはいうまでもない。
【符号の説明】
【００３５】
１・・・換気装置
２・・・第１のフィルター
３・・・第２のフィルター
４・・・ブラシ（清掃手段）
８・・・室外側ダクト
９・・・室内側ダクト
【図１】
2011163717.tif 000003
【図２】
2011163717.tif 000004
【図３】
2011163717.tif 000005
【図４】
2011163717.tif 000006